(57)【要約】【課題】【解決手段】保護された無線デバイスが、回避される。保護された無線デバイスを別の無線デバイスが検出したという指示が受信される。保護された無線デバイスは、保護された無線デバイスを検出した無線デバイスが、指示を受信した無線デバイスから閾値のホップ数以内に存在する場合に回避される。【選択図】図１
2009530984.tif 000002
【特許請求の範囲】
【請求項１】
保護された無線デバイスを回避するための方法であって、
保護された無線デバイスを別の無線デバイスが検出したという指示を受信する工程と、
前記保護された無線デバイスを検出した無線デバイスが、前記指示を受信した無線デバイスから閾値のホップ数以内に存在する場合に、前記保護された無線デバイスを回避する工程と、
を備える、方法。
【請求項２】
請求項１に記載の方法であって、前記保護された無線デバイスは、ＷｉＭＡＸ無線デバイスを含む、方法。
【請求項３】
請求項１に記載の方法であって、前記方法は、超広帯域（ＵＷＢ）無線デバイスによって実行される、方法。
【請求項４】
請求項１に記載の方法であって、前記方法は、ＷｉＭｅｄｉａ ＵＷＢ無線デバイスを含む超広帯域（ＵＷＢ）無線デバイスによって実行される、方法。
【請求項５】
請求項１に記載の方法であって、前記指示は、ビーコンで受信される、方法。
【請求項６】
請求項１に記載の方法であって、
前記指示は、ビーコンで受信され、
前記ビーコンは、送信元の無線デバイスが、保護された無線デバイスを検出した場合には、第１の情報要素を含み、
前記ビーコンは、前記送信元の無線デバイスが、保護された無線デバイスを検出していない場合には、第２の情報要素を含む、方法。
【請求項７】
請求項１に記載の方法であって、さらに、
前記保護された無線デバイスが回避される場合に、回避されるバンドおよび／または副搬送波に関する情報を送信する工程を備える、方法。
【請求項８】
請求項１に記載の方法であって、さらに、
前記保護された無線デバイスが回避される場合に、回避されるバンドおよび／または副搬送波に関する情報を送信する工程を備え、
前記情報はビーコンに含まれる、方法。
【請求項９】
請求項１に記載の方法であって、さらに、
前記保護された無線デバイスが回避される場合に、回避されるバンドおよび／または副搬送波に関する情報を送信する工程を備え、
前記情報はランレングス符号化される、方法。
【請求項１０】
請求項１に記載の方法であって、前記回避する工程は、メディアアクセスコントローラ（ＭＡＣ）からベースバンドプロセッサに、回避すべきバンドおよび／または副搬送波に関する情報を受け渡す工程を備える、方法。
【請求項１１】
請求項１に記載の方法であって、
前記回避する工程は、メディアアクセスコントローラ（ＭＡＣ）からベースバンドプロセッサに、回避すべきバンドおよび／または副搬送波に関する情報を受け渡す工程を備え、
前記受け渡される情報はランレングス符号化される、方法。
【請求項１２】
請求項１に記載の方法であって、さらに、前記保護された無線デバイスを検出した無線デバイスが、前記指示を受信した無線デバイスから前記閾値のホップ数以内に存在しない場合に、前記受信された指示に含まれる回避情報を用いて、受信信号を処理する工程を備える、方法。
【請求項１３】
保護された無線デバイスを回避するためのシステムであって、
保護された無線デバイスを別の無線デバイスが検出したという指示を受信するよう構成されたレシーバと、
前記保護された無線デバイスを検出した無線デバイスが、前記指示を受信した無線デバイスから閾値のホップ数以内に存在する場合に、前記保護された無線デバイスを回避するよう構成されたトランスミッタと、
を備える、システム。
【請求項１４】
送信を行うための方法であって、
第１の無線デバイスにおいて、第２の無線デバイスから位置関連情報を受信する工程であって、前記第１の無線デバイスと前記第２の無線デバイスとはコロケートされている、工程と、
前記第１の無線デバイスにおいて、少なくとも部分的に前記受信した位置関連情報に基づき、規制当局によって定められた情報を取得する工程と、
前記第１の無線デバイスにおいて、前記規制当局によって定めされた情報に従って送信を行う工程と、
を備える、方法。
【請求項１５】
請求項１４に記載の方法であって、前記取得する工程は、前記第１の無線デバイスに関連する記憶装置から取り出す工程を備える、方法。
【請求項１６】
請求項１４に記載の方法であって、前記規制当局によって定められた情報は、許可された送信マスクを含む、方法。
【請求項１７】
請求項１４に記載の方法であって、前記規制当局によって定められた情報は、１または複数の許可されたバンドを含む、方法。
【請求項１８】
請求項１４に記載の方法であって、前記位置関連情報は、座標を含む、方法。
【請求項１９】
請求項１４に記載の方法であって、前記位置関連情報は、国を含む、方法。
【請求項２０】
送信を行うための方法であって、
無線デバイスにおいて、携帯電話機に関連する情報を、前記携帯電話機から受信する工程であって、前記受信側の無線デバイスと前記携帯電話機とは、コロケートされている、工程と、
前記無線デバイスにおいて、少なくとも部分的に前記受信した情報に基づいて、送信を調整する工程と、
を備える、方法。
【請求項２１】
請求項２０に記載の方法であって、
前記受信した情報は、ページング時間に関連する情報を含み、
前記調整する工程は、前記ページング時間の間には送信を一時中断する工程を備える、方法。
【請求項２２】
請求項２０に記載の方法であって、
前記受信した情報は、受信信号強度に関連する情報を含み、
前記調整する工程は、送信電力を低減する工程を備える、方法。
【請求項２３】
請求項２０に記載の方法であって、
前記受信した情報は、受信信号強度に関連する情報を含み、
前記調整する工程は、前記コロケートされた携帯電話機が利用する周波数スペクトルを回避する工程を備える、方法。
【発明の詳細な説明】
【背景技術】
【０００１】
最近、いくつかの規制当局が、無線デバイスの相互運用に関する規則を構築している。しばしば、これらの規則は、認可された周波数スペクトルで動作する無線デバイスを、他の無線デバイスから保護することを目的としている。例えば、一部の規則は、ＷｉＭＡＸデバイス（認可された周波数で動作する）を、超広帯域（ＵＷＢ）無線デバイス（５２８ＭＨｚ以上など、比較的広い周波数スペクトルにわたって動作する）から保護しようとしている。一部の例では、保護される無線デバイスと、干渉する無線デバイスとは、別個のシステムである。別の例では、保護される無線デバイスと、干渉する無線デバイスとは、同じシステム内に含まれている（すなわち、それらはコロケート(collocate)されている）。例えば、保護された無線デバイスの保護と、干渉する無線デバイスのスループットとの間のバランスを提供する、および／または、コロケートされた複数のデバイスで利用できる、検出および／または回避に関連する新しい技術を開発することが望ましい。
【発明を実施するための最良の形態】
【０００２】
本発明は、処理、装置、システム、物質の組成、コンピュータ読み取り可能な記憶媒体などのコンピュータ読み取り可能な媒体、プログラム命令が光リンクまたは通信回線で送信されるコンピュータネットワークなど、数多くの形態で実施されてよい。本明細書では、これらの実施例、すなわち、本発明が取りうる任意の他の形態を、技術と呼んでよい。タスクを実行するよう構成されたものとして記載されるプロセッサまたはメモリなどの構成要素は、所与の時間にそのタスクを実行するよう一時的に構成される一般的な構成要素と、そのタスクを実行するよう製造された特別な構成要素のいずれでもよい。一般に、開示されている処理の工程の順序は、本発明の範囲内で変更されてもよい。
【０００３】
以下では、本発明の原理を図示する添付の図面を参照しつつ、本発明の１または複数の実施形態の詳細な説明を行う。本発明は、かかる実施形態に関連して説明されているが、どの実施形態にも限定されない。本発明の範囲は、請求項によってのみ限定されるものであり、本発明は、多くの代替物、変形物、および等価物を含む。以下の説明では、本発明の完全な理解を促すために、多くの具体的な詳細事項について説明している。これらの詳細事項は、例示を目的とするものであり、本発明は、これらの詳細事項の一部またはすべてがなくても、請求項に従って実施可能である。また、明確にするために、本発明に関連する技術分野で周知の技術事項については、本発明が不必要に分かりにくくならないように、詳細には説明していない。
【０００４】
一部の実施形態では、保護される無線デバイスと、干渉する無線デバイスとは、別個のシステムである。以下の図面では、かかる実施形態をいくつか図示している。
【０００５】
図１は、保護された無線デバイスを回避するよう構成された無線デバイスのグループの一実施形態を示す図である。図の例では、複数の無線デバイスが１つの回線に沿って配列されている。このトポグラフィの結果として、グループ内の各無線デバイスは、自身のすぐ隣の無線デバイスのみを聴取する（すなわち、そこからの情報を適切に受信して処理する）ことしかできない。例えば、無線デバイス１００は、無線デバイス１０１のみを聴取することが可能であり、無線デバイス１０１は、無線デバイス１００および１０２のみを聴取することが可能であり、無線デバイス１０２は、無線デバイス１０１および１０３のみを聴取することが可能であり、無線デバイス１０３は、無線デバイス１０２および１０４のみを聴取することが可能であり、無線デバイス１０４は、無線デバイス１０３のみを聴取することが可能である。別の実施形態では、ここで示した例以外のトポグラフィが構成されてよい。
【０００６】
この例では、無線デバイス１００ないし１０４は、他の保護された無線デバイスを検出して回避するよう構成されている。一部の実施形態では、無線デバイス１００ないし１０４は、超広帯域（ＵＷＢ）デバイス（例えば、ＷｉＭｅｄｉａ ＵＷＢデバイス）であり、ＷｉＭＡＸ（すなわち、ＩＥＥＥ ８０２．１６）デバイスなどの狭帯域無線デバイス、および／または、認可された周波数スペクトルで動作する無線デバイスを、回避するよう構成されている。一部の実施形態では、無線デバイス１００ないし１０４、および／または、保護された無線デバイスは、上で例示した以外の無線機プロトコルまたは仕様に関連している。
【０００７】
様々な実施形態において、様々な検出および回避の技術が用いられる。例えば、一部の実施形態では、無線デバイスが、受信した信号を解析または他の方法で処理して、保護された無線デバイスが近くに設置されているか否かを判定する。一部の実施形態では、他の無線デバイスを回避するために、特定の周波数帯域が、ある無線デバイスによって、送信またはそれ以外の用途で利用されない。回避される周波数帯域は、１または複数のバンド、および／または、１または複数の副搬送波で表されてよい。
【０００８】
図の例では、無線デバイス１０２は、保護された無線デバイスを検出し、このグループ内で唯一この保護された無線デバイスの検出を行う（例えば、保護された無線デバイスが無線デバイス１０２の比較的近くに配置されているなどの理由で）。検出の結果、無線デバイス１０２は、特定の周波数を回避することを決定する。無線デバイス１０２は、保護された無線デバイスが検出された旨の信号を送ると共に、その結果として回避されるバンドおよび／または副搬送波を知らせるために、ｎ番目のスーパーフレーム中に、この情報を含むビーコンを送信する。このビーコンは、無線デバイス１０１および１０３によって受信される。一部の実施形態では、複数のビーコンが送信され、無線デバイス１０１および１０３が同じビーコンを受信する。一部の例では、図に示したビーコンに加えて、さらなるビーコンが送信される。例えば、一部の実施形態では、各無線デバイスが、各スーパーフレームでビーコンを送信する。図を明確にするために、他のビーコンは図示していない。
【０００９】
無線機デバイス１０２からビーコンを受信すると、無線デバイス１０１および１０３は、無線機デバイス１０２が回避しているのと同じバンドおよび／または副搬送波を回避するよう決定する。一部の実施形態では、無線デバイス１０１および１０３は、無線デバイス１０２と異なるバンドおよび／または副搬送波を回避する。
【００１０】
様々な実施形態において、無線デバイス１０１および１０３は、様々な時間に、それらのバンドおよび／または副搬送波の回避を開始する。一部の実施形態では、無線デバイス１０１および１０３は、無線デバイス１０２がｎ番目のスーパーフレームで送信したビーコンを受信して処理するとすぐに、周波数の回避を開始する。一部の実施形態では、（他の無線デバイスに警告することなしに）バンドおよび／または副搬送波をすぐに回避することが望ましくないため、「正常な」移行ができるようになるまでは、そのバンドおよび／または副搬送波が利用される。
【００１１】
次のスーパーフレーム（すなわち、ｎ＋１）において、無線デバイス１０１および１０３は、それぞれ、ビーコンを送信する。この例では、それぞれのビーコンにおいて、無線デバイス１０１および１０３は、特定のバンドおよび／または副搬送波を回避しているが、保護された無線デバイスを検出していないことを知らせる。
【００１２】
したがって、この例において受信側のデバイスは、無線デバイス１０１および１０３のビーコンを受信した時に、それらによって回避されているバンドおよび／または副搬送波を知ることが可能であり、さらに、無線デバイス１０１および１０３が、保護された無線デバイスを実際に検出していないことを知ることができる。無線デバイス１０２からのビーコンを受信したデバイスは、無線デバイス１０２が回避しているバンドおよび／または副搬送波を知り、さらに、無線デバイス１０２が、保護された無線デバイスを検出したことを知ることになる。
【００１３】
この例では、検出した無線デバイス（例えば、無線デバイス１０２）と、そこから１ホップ離れた無線デバイスだけが、保護された無線デバイスを回避しなければならない。例えば、スーパーフレームｎ＋１において、無線デバイス１００は、無線デバイス１０１によって送信されたビーコンを受信し、無線デバイス１０４は、無線デバイス１０３によって受信されたビーコンを受信する。無線デバイス１００および１０４は、ビーコンに含まれた情報を用いて、受信した信号に対する処理を行ってもよい（例えば、無線デバイス１００および１０４は、回避されたバンドおよび／または副搬送波で受信されたデータを破棄してもよい）が、この実施形態では、保護された無線デバイスを回避しない。一部の実施形態では、１ホップの距離以外の他の距離が用いられる。例えば、一部の実施形態では、２ホップの距離以内の無線デバイスが、特定のバンドおよび／または副搬送波を回避しなければならない。
【００１４】
図２は、スーパーフレームの一実施形態を示す図である。一部の実施形態では、図１で送信されるビーコンは、この図のスーパーフレーム中に送信される。この例では、各スーパーフレームは、ビーコン期間（ビーコンのやり取りに利用される）と、それに続くデータ送信期間（データの送信に利用される）とを含んでおり、各期間は、任意の数のスロットを含む。
【００１５】
この例では、無線デバイス１０２によって送信されるビーコンは、スーパーフレームｎのビーコン期間２００中に送信される。無線デバイス１０１および１０３によって送信されるビーコンは、スーパーフレームｎ＋１のビーコン期間２０２中に送信される。一部の実施形態では、各無線デバイスは、それぞれのビーコンを、各ビーコン期間の同じスロットで送信する。例えば、無線デバイス１００は、常に、ビーコン期間のスロットｘ中に自身のビーコンを送信してよく、無線デバイス１０１は、スロットｙ中に自身のビーコンを送信してよい。
【００１６】
図３は、検出および／または回避の情報を含むビーコンを生成および送信するための処理の一実施形態を示すフローチャートである。一部の実施形態では、この例の処理は、図１に示した無線デバイスによって実行される。一部の実施形態では、別の処理を用いて、ビーコンを生成および送信する。
【００１７】
工程３００において、保護された無線デバイスが検出されたか否かが判定される。この検出技術としては、保護された無線デバイスに応じて動作するよう構成されたレシーバを備える、または、特定の周波数のエネルギレベルを測定するなど、任意の適切な検出技術を利用してよい。保護された無線デバイスが検出された場合には、工程３０２において、保護された無線デバイスが検出された旨と、回避されるバンドおよび／または副搬送波とを示す情報を、ビーコンに含める。例えば、この例の処理が図１の無線デバイスによって実行される場合には、無線デバイス１０２は、この工程を実行するが、無線デバイス１０１および１０３は、この工程を実行しない。
【００１８】
工程３０２において情報を含めた後、または、保護された無線デバイスが検出されなかった場合、検出および／または回避の情報が、１ホップ隣の無線デバイスから受信されたか否かが、工程３０４において判定される。例えば、無線デバイス１０１が、この例の処理を実行している場合には、工程３０４の判定は、ｎ番目のスーパーフレームにおいて無線デバイス１０２からビーコンを受信した後に、「Ｙｅｓ」になる。
【００１９】
かかる情報が受信された場合、回避されるバンドおよび／または副搬送波を示す情報がビーコンに含められる。一部の実施形態では、工程３０２で含められる情報は、異なる情報要素を利用するなどして、工程３０６で含められる情報と異なる方法で符号化すなわち記述される。一部の実施形態では、これにより、ビーコンを受信する無線デバイスは、（例えば、１ホップ）隣の無線デバイスが、保護された無線デバイスを検出したのではなく、送信元の無線デバイスが、保護された無線デバイスを実際に検出したために、どのバンドおよび／または副搬送波が回避されているのかを知ることができる。
【００２０】
工程３０６において情報を含めた後、または、工程３０４において情報が受信されなかった場合、工程３０８において、ビーコンが送信およびアセンブルされる。工程３１０において、処理を終了するか否かが判定される。終了しない場合には、工程３００において、新たな保護された無線デバイスが検出されたか否かが判定される。
【００２１】
一部の実施形態では、工程３０２および３０６で含められる情報は、ビーコンのペイロード内の異なる情報要素に含められる。以下の図面では、かかる実施形態の１つを図示している。
【００２２】
図４は、検出および／または回避の情報をやり取りするために用いられる情報要素を備えたビーコンの一実施形態を示す図である。一部の実施形態では、ビーコン４００は、図３の処理を用いて生成される。図の例では、ビーコン４００は、ヘッダ４０２と、ペイロード４０４と、チェックサム４０６とを備える。この例のペイロード４０４は、情報要素４０８および４１０を備え、一部の実施形態では、ペイロード４０４は、情報要素４０８および４１０に加えて、さらなる情報要素を備える。
【００２３】
一部の実施形態では、情報要素４０８は、工程３０２が実行された場合に、ビーコン４００に含められる。一部の実施形態では、情報要素４１０は、工程３０６が実行された場合に、ビーコン４００に含められる。したがって、各ビーコンは、情報要素４０８および４１０の内の一方または両方を含むか、もしくは、いずれも含まない。情報要素４０８および４１０の各々は、識別子と、長さと、関連情報とを含む。一部の実施形態では、識別子は、情報要素４０８および４１０を、互いに区別すると共に、それら以外の情報要素から区別することを可能にする固有の識別子である。長さフィールドは、各情報要素の長さを（例えば、バイト単位で）記述する。
【００２４】
一部の実施形態では、回避される周波数（例えば、バンドおよび／または副搬送波で記述される）は、情報要素４０８および４１０のいずれかに含まれるが、両方には含まれない。例えば、一部の実施形態では、情報要素４０８への包含は、そのビーコンを送信した無線デバイスが、保護された無線デバイスを検出し、示されている周波数を回避していることを示している。逆に、情報要素４１０に含まれる場合には、送信元の無線デバイスが、保護された無線デバイスを実際に検出したのではなく、例えば、その送信元の無線デバイスは、保護された無線デバイスを検出した無線デバイスの１ホップ隣の無線デバイスである。
【００２５】
様々な実施形態において、情報要素４０８および／または４１０に含まれる情報は、様々な方法で符号化すなわち記述される。以下の図は、情報がランレングス符号化される一実施形態を示す図である。一部の実施形態では、他の符号化技術が利用される。
【００２６】
図５は、時間周波数インターリービング（ＴＦＩ）チャネルの一実施形態を示す図である。図の例では、複数の無線デバイスは、ＷｉＭｅｄｉａ ＵＷＢデバイスである。パケットまたはフレームは、直交周波数分割多重（ＯＦＤＭ）シンボルで構成され、無線チャネルで送信される。ＷｉＭｅｄｉａ ＵＷＢには、２種類の無線チャネルがある。すなわち、時間周波数インターリービング（ＴＦＩ）および固定周波数インターリービング（ＦＦＩ）である。ＴＦＩチャネルは、繰り返される複数のバンドを利用し、ＦＦＩチャネルは、単一のバンドを利用する。この例では、バンド１、バンド２、および、バンド３のホップパターンを有するＴＦＩチャネルが図示されている。一部の実施形態では、図示した例以外に、他のチャネルが用いられる。
【００２７】
図６は、回避されたバンド内の副搬送波の一実施形態を示す図である。図の例では、無線デバイスが、図５に示したＴＦＩチャネルを利用している。この特定の例では、バンド２内の副搬送波１００ないし１０６（両端を含む）が回避されている。一部の実施形態では、バンド２内のこれらの副搬送波を回避している無線デバイスは、保護された無線デバイスを検出した無線デバイスであり、一部の実施形態では、この例の副搬送波を回避している無線デバイスは、検出している無線デバイスから、例えば１ホップ離れた無線デバイスである。この例では、「０」は、それに対応する副搬送波が利用されていることを示し、「１」は、それに対応する副搬送波が回避されていることを示している。一部の実施形態では、その極性が逆になっている。
【００２８】
図７は、ランレングス符号化を用いて記述された、回避される副搬送波および／またはバンドの一実施形態を示す図である。図の例では、図６の回避された副搬送波およびバンドが、ランレングス符号化されている。一部の実施形態では、他の種類のランレングス符号化が利用される。一部の実施形態では、ＦＦＩチャネルが利用され、ＦＦＩチャネルにおいて回避される副搬送波がランレングス符号化される。
【００２９】
この例では、各バイトの最上位ビット（ＭＳＢ）は、どのシンボルが繰り返されるか（例えば、０または１）を示すために用いられており、残りのビットは、そのシンボルが繰り返される回数から１を引いた数に等しくなっている。第１のバイト（０１１１１１１１）は、「０」が、１２８回繰り返されることを示しており、これは、バンド１内の１２８の副搬送波すべてを利用することに対応する。第２のバイト（０１１０００１１）は、「０」が、１００回繰り返されることを示しており、これは、バンド２内の副搬送波［０，９９］に対応する。第３のバイト（１００００１１０）は、「１」が、７回繰り返されることを示しており、これは、バンド２内の副搬送波［１００，１０６］に対応し、これらの副搬送波が回避される。第４のバイト（０００１０１００）は、「０」が、２１回繰り返されることを示しており、これは、バンド２内の副搬送波［１０７，１２７］に対応する。第５のバイト（０１１１１１１１）は、「０」が、１２８回繰り返されることを示しており、これは、バンド３内の１２８の副搬送波すべてを利用することに対応する。
【００３０】
一部の例では、他の技術に比べて利用するバイト（または他の単位）が少ないことから、ランレングス符号化を利用することが好ましい。例えば、図６に示した情報を単純にバイトに変換すれば、５バイトではなく、合計４８バイトが必要になる（例えば、第１のバイトが、バンド１の副搬送波［０，７］に対応し、第２のバイトが、バンド１の副搬送波［８，１５］に対応する、など）。必要なバイト数を低減すれば、やり取りされるオーバーヘッド情報を少なくして、効率を向上させることができる。これにより、検出および／または回避の情報を、より頻繁（例えば、ビーコン毎に）にやり取りする、および／または、かかる情報がやり取りされる毎のコストを低減する、ことが可能になる。
【００３１】
一部の実施形態では、ランレングス符号化された情報が、ビーコンの情報要素に含められる。一部の実施形態では、ランレングス符号化された情報が、メディアアクセスコントローラ（ＭＡＣ）と、物理層処理（例えば、インターリービング、変調、および／または、符号化）を実行するよう構成されたベースバンドプロセッサ（すなわち、ＰＨＹ）との間のインターフェースで利用される。例えば、ＭＡＣは、１または複数のレジスタを用いて、どのバンド内のどの副搬送波を回避すべきか、ベースバンドプロセッサに知らせてよい。一部の実施形態では、ランレングス符号化された情報は、かかるレジスタに書き込まれる。これは、利用するレジスタおよび／またはかかるレジスタへの書き込みが少なくなるため、有利である。
【００３２】
一部の実施形態では、保護されたデバイスが、干渉するデバイスとコロケートされている。以下の図では、コロケートされたデバイスのいくつかの実施形態と、やり取りされる情報のいくつかの例とを示す。
【００３３】
図８は、コロケートされた複数の無線デバイスを備えたシステムの一実施形態を示すブロック図である。本明細書で用いられているように、コロケートされた複数のデバイスとは、同じシステムに含まれる複数のデバイスを意味する。図の例では、各種の無線構成要素が、携帯電話機８００に備えられている。この例における各無線構成要素は、それぞれのチャネルで通信を行うために、自身の送受信機を備えている。様々な実施形態において、様々な情報が、携帯電話機８００に備えられた無線構成要素の間でやり取りされる。
【００３４】
一部の実施形態では、全地球測位システム（ＧＰＳ）８０２が、ＧＰＳ衛星と通信して、座標などの位置関連情報を取得する。一部の実施形態では、位置情報が、ＧＰＳ８０２から別の構成要素に受け渡される。例えば、緊急通報用電話番号（９１１）に電話した際に、位置情報が、ＧＰＳ８０２から携帯電話構成要素８０６に受け渡されてよい。携帯電話構成要素８０６は、携帯電話インフラストラクチャを介して、位置情報を９１１コールセンタの通信指令係に中継してよい。
【００３５】
この例の携帯電話構成要素８０６は、携帯電話ネットワーク上での通信に関与する。構成要素８０６は、符号分割多重アクセス方式（ＣＤＭＡ）、パーソナル通信サービス方式（ＰＣＳ）、および、グローバルシステム・フォー・モバイルコミュニケーションズなど、様々なデジタルまたはアナログの携帯電話プロトコルに対応してよい。一部の実施形態では、音声関連のデータに加えて、他のデータが、携帯電話構成要素８０６を用いてやり取りされてもよい。例えば、携帯電話構成要素８０６は、ショートメッセージサービス（ＳＭＳ）などのテキストメッセージサービスに対応していてもよい。
【００３６】
ＵＷＢ８０４を用いて、ブロードバンド無線ネットワークを介してデータをやり取りしてもよい。この実施形態では、ＵＷＢ８０４は、ＷｉＭｅｄｉａ ＵＷＢ構成要素である。様々な実施形態において、ＵＷＢ８０４は、ＧＰＳ８０２および／または携帯電話構成要素８０６から、様々な情報を取得し、この情報を用いて、例えば、送信の調整を行う。例えば、一部の実施形態では、ＵＷＢ８０４は、送信電力レベルを低減する、すなわち、コロケートされた無線デバイスにとって重要な期間すなわち通信時には送信を行わない。
【００３７】
一部の実施形態では、共通のクロックソースが、ＵＷＢ構成要素８０４と、コロケートされたブルートゥース（Ｂｌｕｅｔｏｏｔｈ）構成要素（図示せず）とに供給される。共通のクロックソースを用いることで、コロケートされた構成要素は、２つの構成要素の間でのオフセットがほとんどない、または、全くないタイミング基準を有することができるようになる。一部の実施形態では、ＵＷＢ構成要素は、Ｂｌｕｅｔｏｏｔｈ期間を追跡し、Ｂｌｕｅｔｏｏｔｈ期間の特定の部分の間には送信を行わない。例えば、Ｂｌｕｅｔｏｏｔｈ構成要素が受信を行うのに重要な特定の管理または制御フレームが挙げられる。かかる実施形態では、ＵＷＢ構成要素は、Ｂｌｕｅｔｏｏｔｈ期間を追跡し、管理または制御フレームの送信に対応する期間中には送信を行わない。一部の実施形態では、ＵＷＢ８０４は、ＧＰＳ８０２からＧＰＳタイミング情報を取得または抽出する。一部の実施形態では、ＵＷＢ８０４は、タイミング情報をＵＷＢチャネルで別のＵＷＢデバイスに送信する。この送信された情報は、携帯電話機８００の構成要素と干渉しうる近くのＵＷＢデバイス（おそらく、コロケートされたＧＰＳ構成要素を持たない）によって受信されてよい。例えば、デジタルカメラのＵＷＢ構成要素が、タイミング情報を携帯電話機８００から受信し、携帯電話機８００の構成要素と共存するために、そのタイミング情報を用いてよい。
【００３８】
一部の実施形態では、コロケートされた構成要素を含むシステムは、携帯電話機以外のシステムである。例えば、携帯情報端末およびラップトップコンピュータが、コロケートされた無線構成要素を有してよい。一部の実施形態では、システムは、異なる組み合わせで、コロケートされた構成要素を備えてもよい。例えば、図８の例に示した構成要素に加えて、または、それに替えて、Ｂｌｕｅｔｏｏｔｈ構成要素またはＩＥＥＥ ８０２．１１  ａ／ｂ／ｇ（ＷｉＦｉ）構成要素が備えられてもよい。
【００３９】
図９は、携帯電話機と、携帯電話機が通信を行ういくつかのデバイスとの一実施形態を示す図である。図の例では、携帯電話機９００は、コロケートされたＧＰＳ、ＵＷＢ、および、携帯電話の構成要素を備える。各構成要素は、それぞれのプロトコルに従って送受信を行うよう構成された送受信機を備える。
【００４０】
一部の実施形態では、携帯電話機９００が備えるＵＷＢ構成要素を用いて、時間帯情報が、コンピュータ９０２から取得される。コンピュータ９０２は、着脱可能なＵＷＢ送受信機（例えば、コンピュータ９０２のスロットに挿入されるもの）を有してもよいし、組み込み型のＵＷＢ構成要素を有してもよい。ユーザは、コンピュータ９０２上で動作するカレンダまたは時計の機能によって時間帯情報を指定することができる。一部の実施形態では、時間帯の中のより小さい地域または国が、ユーザによって指定され、コンピュータ９０２から取得される。例えば、韓国と日本とは、同じ時間帯に属するが、ユーザは、自身の位置として日本を指定することができてよい。一部の実施形態では、指定された国またはその他の時間帯情報が、コンピュータ９０２から取得される。
【００４１】
携帯電話機９００に備えることができる一部の携帯電話構成要素は、携帯電話基地局９０４（以降、基地局と呼ぶ）から受信した信号に基づいて、受信信号強度表示（ＲＳＳＩ）を判定する。一部の例では、ＲＳＳＩは、携帯電話機９００の携帯電話構成要素が利用するバンドに関する受信電力の総測定値である。ＲＳＳＩは、実装に依存するため、携帯電話機によって異なりうる。一部の携帯電話システムでは、位置情報が、基地局９０４によって供給される。例えば、９１１機能に対応するために、基地局９０４は、基地局９０４がサービスを提供する近辺すなわち範囲を特定してよい。この例に示すように、一部の実施形態では、携帯電話機９００は、位置および／またはＲＳＳＩ情報を基地局９０４から取得する。
【００４２】
携帯電話機９００のＧＰＳ構成要素は、ＧＰＳ衛星９０６と通信して、位置情報を取得する。位置情報は、緯度、経度、および／または、高度の情報を含んでよい。一部の実施形態では、ＧＰＳ構成要素によって、時間が算出される。ＧＰＳ構成要素によって算出された時間は、位置によらず、他のＧＰＳデバイスによって算出された時間と、比較的正確に一致する。
【００４３】
携帯電話機９００のＵＷＢ構成要素は、この情報の一部または全部を用いて、コロケートされた無線構成要素と共存する。様々な実施形態において、様々な情報が様々な情報源から取得される。
【００４４】
図１０は、規制当局によって定められた情報を取得する処理の一実施形態を示すフローチャートである。図の例では、その処理は、図８のＵＷＢ構成要素８０４など、携帯型のＵＷＢ構成要素によって実行される。一部の実施形態では、その処理は、ＵＷＢ構成要素の電源投入時、または、それ以外の始動時に、開始される。
【００４５】
工程１０００において、位置関連情報が、利用可能な情報源から取得される。個々の携帯電話機に応じて、情報を入手可能な情報源が異なる。例えば、一部の携帯電話機は、ＵＷＢ機能を持つがＧＰＳ機能を持たない場合があり、その逆もありうる。一部の実施形態では、ＵＷＢ構成要素は、位置および／または時間帯の情報を、例えば、コロケートされたＧＰＳ構成要素、または、カレンダまたは時計の機能を備えたリモートコンピュータ、から取得するよう構成される。
【００４６】
工程１００２において、加重（重み）が位置関連情報に割り当てられる。一部の実施形態では、ある情報源からの情報が、別の情報源からの情報よりも、信頼性が高い、詳細である、または、その他の面で有用であり、これを反映する加重が割り当てられる。一例では、携帯電話基地局からの位置情報またはＧＰＳの位置情報が、最も高い加重を有する。ＩＥＥＥ ８０２．１１アクセスポイントなど、固定インフラストラクチャネットワークは、より低い加重を割り当てられる。コンピュータからの時間帯情報は、最も低い加重を割り当てられる。様々な順位または加重が用いられてよい。
【００４７】
工程１００４において、加重された位置関連情報に基づいて、国または地域が決定される。一部の実施形態では、最高の加重を有する情報を用いて、国または地域を決定し、残りの情報を破棄する。一部の実施形態では、加重された情報を組み合わせて、国または地域を決定する。
【００４８】
一部の実施形態では、携帯電話機は、国または地域を決定するために格納しているテーブルを参照する。例えば、テーブルは、緯度または経度に基づいて構築されてもよいし、時間帯または時間地域に基づいて構築されてもよい。
【００４９】
一部の実施形態では、以前の国または地域が、記憶され、現在の国または地域を決定するために利用される。例えば、携帯電話機は、通例、１つの国または地域に留まる。位置および／または時間帯の情報が入手できない場合、国または地域は、保存された国または地域に設定される。一部の実施形態では、位置および／または時間の情報が、入手可能であるが、保存された位置情報と矛盾する、または、低い優先度を有する。一部の実施形態では、取得された情報が他の地域または国を示している場合でも、以前の国または地域を用いる。
【００５０】
工程１００６において、ＵＷＢ送信電力マスク情報が、国または地域について取得される。世界中の様々な規制当局が、それぞれの地域の送信電力レベルを制御している。例えば、欧州連合、日本、および、米国は、ＵＷＢ送信について、異なる電力制限を有する。これは、特定の周波数スペクトルにおける送信電力への制限を含んでよい。ＵＷＢ構成要素内の送信電力制御（ＴＰＣ）部は、送信電力マスクを用いて、適切なパラメータを設定してよい。
【００５１】
工程１００８において、許可されたＵＷＢチャネルのセットが、国または地域について取得される。例えば、一部の国または地域が、ＵＷＢデバイスによって利用可能なバンドに対して特定の制限を有する場合がある。特定の国における特定のバンドが、例えば、軍事で利用される、または、すでに認可されている、などの理由で、制限される。ＵＷＢ構成要素は、許可されたＵＷＢチャネルのセットを用いて、１または複数のバンドを含む無線チャネルを選択する。一部の例では、ある国でＵＷＢでの利用を許可されているバンドが、別の国では利用を許可されない。
【００５２】
一部の実施形態では、工程１００６で取得されるマスク、および／または、工程１００８で取得される許可チャネルのセットは、ＵＷＢデバイスに関連するメモリまたは記憶装置から取り出される。例えば、規制当局によって設定されると、かかる情報は、頻繁に、または、全く、変更されなくてよい。
【００５３】
図１１は、携帯電話のページング時間を回避するための処理の一実施形態を示すフローチャートである。この例の処理は、携帯電話機および基地局が、ページを用いて、着信があることを携帯電話機に知らせるＣＤＭＡシステムによって実行される。ページング時には、電話および基地局は、着信があるか否かを示す通信をやり取りする。この通信は、ページングバンドと呼ばれる特定の周波数でやり取りされる。ＣＤＭＡ電話は、しばしば、携帯電話構成要素の一部または全部の電源を切って、電力を節約しており、携帯電話構成要素は、ページングに先だって電源を入れられる。ページング時間および／またはページングバンドは、特定の携帯電話機が、どのバージョンの電話の仕様に対応するよう構成されているかによって決まってよい。例えば、より最近のバージョンの仕様によると、携帯電話機は、ページング時の合間により長くスリープできるため、電力消費をさらに低減できる。一部の実施形態では、別の電話用プロトコル（例えば、ＧＳＭ、ＰＣＳなど）が利用され、処理は、それに応じて変形される。
【００５４】
工程１１００において、コロケートされた携帯電話構成要素が存在するか否かが判定される。存在する場合には、工程１１０２において、携帯電話構成要素に関連するページング情報が取得される。様々なインターフェースおよび／または信号伝達を用いて、コロケートされた携帯電話構成要素から、この情報を取得してよい。例えば、適切なレジスタを読み出してもよいし、コロケートされた構成要素の間で１または複数の信号を用いて、この情報をやり取りしてもよい。また、コロケートされた携帯電話構成要素が存在しない場合には、工程１１０６において、別の無線デバイスに関連するページング情報が取得される。一部の実施形態では、その別の無線デバイスは、コロケートされたＵＷＢ構成要素であり、ページング情報は、ＵＷＢ無線チャネルを介して取得される。
【００５５】
工程１１０４において、適切な時に、ページング情報が、他の無線デバイスに送信される。コロケートされた携帯電話構成要素を持たない近くの無線デバイスは、携帯電話のページング時間およびページングバンドを回避することが望ましい。一部の実施形態では、この情報は、ビーコンフレームに含められるが、ページング情報の送信に関連する専用のフレームに含められてもよい。
【００５６】
コロケートされた携帯電話構成要素が存在しない場合、ページング情報は、工程１１０６において他の無線デバイスから取得される。例えば、あるデバイスによって工程１１０４で送信された情報が、他のデバイスによって工程１１０６で受信される。
【００５７】
工程１１０８において、ＵＷＢデバイスは、ページングバンドでページング時に送信することを避ける。送信を避けることによって、携帯電話構成要素は、着信があるか否かを判定することができる。一部の実施形態では、ＵＷＢデバイスは、工程１１０８で２以上のページング時の送信を避ける。ＵＷＢデバイスは、着信の検出と干渉しないページング時の合間に送信を行う。
【００５８】
一部の実施形態では、さらなる判定基準が用いられる。例えば、ＵＷＢデバイスは、以前のページング時に送信を行っていない限りは、ページングバンドでページング時に送信を行うことができる（すなわち、ページング時のＵＷＢデバイスによる最大数の連続的な送信が許可される）。別の例では、ＵＷＢデバイスは、優先度に基づいて、ページング時に送信を行うことができる。ＵＷＢのトラフィックが、閾値を超える優先度を有すると判断されれば、ＵＷＢデバイスは、ページングバンドでページング時にそのトラフィックを送信することを許可される。一部の実施形態では、ページングバンドでのページング時の送信を避けるか否かを判定する際に、以前の呼出情報を用いる。例えば、現在の時刻が、ユーザが通例電話を受ける時刻（例えば、学校が児童に電話させる時刻など）、または、ユーザが非常に頻繁に電話を受ける時刻（例えば、携帯電話の利用が多いユーザ）に対応する場合に、ＵＷＢデバイスは、工程１１０８で送信を避ける。
【００５９】
図１２は、ＲＳＳＩ情報に基づいてＵＷＢの特性を調整するための処理の一実施形態を示すフローチャートである。図の例では、ＵＷＢ構成要素は、携帯電話構成要素とコロケートされている。携帯電話構成要素は、ＲＳＳＩレベルまたは他の受信信号特性を有する。一部の携帯電話機では、かかる受信信号特性は、携帯電話の信号強度を示す棒として、ユーザに対して表示される。
【００６０】
ＲＳＳＩまたは別の信号特性／測定値は、一部の実施形態では、コロケートされた携帯電話構成要素と、ＵＷＢ構成要素との間の共存を向上させるために利用される。例えば、携帯電話機における受信信号レベルについての情報は、ＵＷＢデバイスによって把握されている。これは、携帯電話機が干渉に対してどれだけ敏感であるかを示しうる。
【００６１】
工程１２００において、ＲＳＳＩが、携帯電話構成要素から取得される。この情報を取得するために、様々なインターフェースを実装してよい。例えば、コロケートされた携帯電話構成要素と、ＵＷＢ構成要素との間の信号を用いて、情報を取得してよい。あるいは、携帯電話構成要素内のレジスタを読み出すＵＷＢデバイスのドライバまたは他のソフトウェアアプリケーションによって、情報を取得してもよい。
【００６２】
工程１２０２において、携帯電話構成要素の干渉に対する感受性が概算される。例えば、ＲＳＳＩレベルが比較的高い場合には、携帯電話の信号は、コロケートされたＵＷＢ構成要素からの干渉の存在に対して頑強である。一部の例では、ＲＳＳＩレベルは粗い測定値であり、工程１２０２で概算される感受性レベルも同様に粗くなる。一部の例では、取りうる感受性レベルの数が比較的少ない。
【００６３】
工程１２０４において、ＵＷＢチャネルを変更するか否かが決定される。一部の実施形態では、その決定は、工程１２０２で概算された感受性レベルに基づいて行われる。例えば、コロケートされた携帯電話構成要素が比較的敏感である場合には、コロケートされたＵＷＢは、干渉していないチャネルを用いるよう決定してよい。チャネルを変更すると決定された場合、工程１２０６において、携帯電話構成要素の感受性に基づいて、ＵＷＢチャネルが、必要に応じてモード（ＦＦＩ／ＴＦＩ）を含めて、変更される。例えば、感受性情報を用いて、固定周波数インターリーブビング（ＦＦＩ）チャネルを用いるか時間周波数インターリービング（ＴＦＩ）チャネルを用いるかを決定する。ＦＦＩモードでは、チャネルは、単一のバンドであり、ＴＦＩモードでは、チャネルは、ＵＷＢデバイスが選択的に利用する複数のバンドを含む。ＵＷＢ構成要素は、コロケートされた携帯電話構成要素が、基地局から遠く離れている場合にＦＦＩモードで動作し、基地局に近い場合にＴＦＩモードで動作するよう決定してよい。
【００６４】
工程１２０８において、送信電力を変更するか否かが決定される。一部の実施形態では、概算された感受性レベルが、閾値と比較される。送信電力レベルを変更すると決定された場合には、工程１２１０において、ＵＷＢ送信電力は、携帯電話構成要素の感受性に基づいて変更される。例えば、携帯電話構成要素が比較的敏感である場合、コロケートされたＵＷＢ構成要素の送信電力レベルを低く調整して、携帯電話構成要素との干渉を回避する。逆に、携帯電話構成要素が敏感ではない場合には、ＵＷＢ構成要素の送信電力レベルを維持または上昇させることができる。
【００６５】
上述の実施形態は、理解しやすいように、ある程度詳細に説明されているが、本発明は、これらの詳細事項に限定されない。本発明は、多くの他の形態でも実施可能である。開示されている実施形態は、例示を目的とするものであり、限定を意図しない。
【図面の簡単な説明】
【００６６】
【図１】保護された無線デバイスを回避するよう構成された無線デバイスのグループの一実施形態を示す図。
【図２】スーパーフレームの一実施形態を示す図。
【図３】検出および／または回避の情報を含むビーコンを生成および送信するための処理の一実施形態を示すフローチャート。
【図４】検出および／または回避の情報をやり取りするために用いられる情報要素を備えたビーコンの一実施形態を示す図。
【図５】時間周波数インターリービング（ＴＦＩ）チャネルの一実施形態を示す図。
【図６】回避されたバンド内の副搬送波の一実施形態を示す図。
【図７】ランレングス符号化を用いて記述された、回避される副搬送波および／またはバンドの一実施形態を示す図。
【図８】コロケートされた複数の無線デバイスを備えたシステムの一実施形態を示すブロック図。
【図９】携帯電話機と、携帯電話機が通信を行ういくつかのデバイスとの一実施形態を示す図。
【図１０】規制当局によって定められた情報を取得する処理の一実施形態を示すフローチャート。
【図１１】携帯電話のページング時を回避するための処理の一実施形態を示すフローチャート。
【図１２】ＲＳＳＩ情報に基づいてＵＷＢの特性を調整するための処理の一実施形態を示すフローチャート。
【図１】
2009530984.tif 000003
【図２】
2009530984.tif 000004
【図３】
2009530984.tif 000005
【図４】
2009530984.tif 000006
【図５】
2009530984.tif 000007
【図６】
2009530984.tif 000008
【図７】
2009530984.tif 000009
【図８】
2009530984.tif 000010
【図９】
2009530984.tif 000011
【図１０】
2009530984.tif 000012
【図１１】
2009530984.tif 000013
【図１２】
2009530984.tif 000014
【国際調査報告】
2009530984.tif 000015